(57)【要約】      （修正有）【課題】壁面に重量のあるものや平面的にものを安定的かつ簡単に着脱自在に固定することができる壁面取付け装置を提供する。【解決手段】上下の支持レール材１０Ｕ、１０Ｄは、前記支持板材を装着するための支持開口部が該支持レール材の横断面視で壁面１４の設置側以外の側であって壁面１４に平行して上下で対向する側また壁面の垂直外側に向いて開口して形成されたものであり、上下対で取付けた支持レール材１０Ｕ、１０Ｄの支持開口部によって支持板材１６の上端部および下端部を水平移動可動に係止して該支持板材１６を壁面１４に固定する。【選択図】図２
0003149109.tif 000002
【実用新案登録請求の範囲】
【請求項１】
建造物の壁面に所望する物を取付ける壁面取付け装置であって、
物を支持する支持レール材を、その長さ方向が水平方向に沿うように上下対で壁面に取付け、
前記上下の支持レール材は、支持板材を装着するための支持開口部が該支持レール材の横断面視で壁面の設置側以外の側に向いて開口して形成されたものであり、
上下対で取付けた支持レール材の支持開口部によって支持板材の上端部および下端部を水平移動可動に係止して該支持板材を壁面に固定することを特徴とする壁面取付け装置。
【請求項２】
前記支持レール材の上下方向の幅の３倍以上に上下に幅広い枠材をその長さ方向が水平方向に沿うように壁面に上下対で取付け、上下の枠材表面に支持レール材をそれぞれ取付けることによって、前記上下の支持レール材を壁面に固定したことを特徴とする請求項１に記載の壁面取付け装置。
【請求項３】
前記上下の支持レール材は、互いに対向側に開口する支持開口部と共に壁面の垂直方向外側に開口する水平開口部を形成し、この水平開口部に棚板を差し込み固定できるようにしたことを特徴とする請求項２に記載の壁面取付け装置。
【請求項４】
支持レール材の支持開口部は、該支持レール材の横断面視でＣ字形状を呈し、
その支持開口部の内部幅よりも狭くかつ開口端より幅広い係合部を形成した第１のスライドレール部材を設けており、
前記支持開口部内に係合部を装着して第１のスライドレール部材を上下の支持レール材にスライド可能に係合し、
前記支持板材を第１のスライドレール部材に固定することによって、支持板材の上端部および下端部を水平移動可動に上下のレール部材に係合して前記支持板材を壁面に固定したことを特徴とする請求項３に記載の壁面取付け装置。
【請求項５】
上下の支持レール材は、該支持レール材の横断面視で支持開口部が壁面の垂直方向外側に開口すると共に、該支持開口部の上下方向の幅の３倍以上に上下に幅広く形成されて、壁面に直接取付けるものであることを特徴とする請求項１に記載の壁面取付け装置。
【請求項６】
上下の支持レール材は、支持開口部から壁面側に凹む凹所内に上下の突起が突出形成され、
前記支持レール材の他に、前記凹所の突起内側の幅よりも狭くかつ突起先端間の幅よりも広い幅の係合部の有る第２のスライドレール部材を設けており、
この第２のスライドレール部材は、前記支持開口部の突起内側に係合部を装着して前記支持レール材にスライド可能に係合し、
支持板材を第２のスライドレール部材に設置することによって、支持板材の上端部および下端部を水平移動可動に上下の支持レール材に係合して該支持板材を壁面にスライド可能に固定したことを特徴とする請求項５に記載の壁面取付け装置。
【請求項７】
第２のスライドレール部材は、横断面視して底壁から両側壁が立ち上がる概略Ｕ字形状の断面形状であって、一側壁の外部に断面Ｃ字形状の凹所が形成され、他側壁は外部が平坦に形成されたものであることを特徴とする請求項６に記載の壁面取付け装置。
【請求項８】
前記第２のスライドレール部材と同断面形状の取付けレール部材を、第２のスライドレール部材と上下を逆にしかつ互いの一側壁の断面Ｃ字形状の凹所同士を係合させ、
前記第２のスライドレールの他側壁を係合部として、前記支持開口部の突起内側に係合部を装着して第２のスライドレール部材を支持レール材にスライド可能に係合すると共に、取付けレール部材の他側壁の外部に支持板材を固定したことを特徴とする請求項７に記載の壁面取付け装置。
【請求項９】
第２のスライドレール部材の一側壁を係合部として、前記支持開口部の突起内側に係合部を装着して第２のスライドレール部材を支持レール材にスライド可能に係合すると共に、前記第２のスライドレール部材と同断面形状の取付けレール部材を、その一側壁の断面Ｃ字形状の凹所が上下で対向するように、第２のスライドレール部材の他側壁部に取付けたことを特徴とする請求項７に記載の壁面取付け装置。
【請求項１０】
支持板材また第２のスライドレール部材にフックを固定できるようにしたことを特徴とする請求項６から９のうちの１項に記載の壁面取付け装置。
【考案の詳細な説明】
【技術分野】
【０００１】
本考案は、家屋等の建造物の壁面、特に、建造物の外壁面や玄関や室内の内壁面に掲示物等の紙類、額縁、またはパネル等の物を取付ける壁面取付け装置に関する。
【背景技術】
【０００２】
従来、建造物の外壁面や玄関や室内の内壁面等の壁面に額縁やパネル等の物を取付ける場合に、その都度取付け金具をいちいち取付けて施工しなければならず、不要になったときに金具を取り外そうとすると壁面を痛める問題があった。
【０００３】
また、壁面が石膏ボードの下地材等の場合、強度がでにくく、別途下地材を施工する必要があった。その他、コンクリート壁面に直接クロスを貼付けたような場合に、取付けフックは業者でないと取付けられず使用者が物を壁掛けしたい場合に対応するのが困難であった。
【０００４】
特開平１０−１１３２６６号では，壁掛け用のフックを支持する壁掛け用レールにキャップを取付ける技術が開示されている。このレールでは、壁掛け用フックを自由な位置に設けることができるが、壁面に重量のあるものを吊る場合に強度を出しにくかった。また、単に取付けフックをレールに吊っているだけなので、額縁等を吊る場合に１〜２点支持になり吊っているものを安定させにくかった。
【特許文献１】特開平１０−１１３２６６号公報
【考案の開示】
【考案が解決しようとする課題】
【０００５】
本考案は、斯かる実情に鑑み、建造物の外壁面や内壁面等の壁面に重量のあるものや平面的なものを安定的かつ簡単に着脱自在に固定することができる壁面取付け装置を提供するものである。
【課題を解決するための手段】
【０００６】
本考案は壁面取付け装置に係るものである。
【０００７】
本考案は、建造物の壁面に所望する物を取付ける壁面取付け装置であって、
物を支持する支持レール材を、その長さ方向が水平方向に沿うように上下対で壁面に取付け、
前記上下の支持レール材は、支持板材を装着するための支持開口部が該支持レール材の横断面視で壁面の設置側以外の側に向いて開口して形成されたものであり、
上下対で取付けた支持レール材の支持開口部によって支持板材の上端部および下端部を水平移動可動に係止して該支持板材を壁面に固定することを特徴とする壁面取付け装置である。
【０００８】
本考案において、前記支持レール材の上下方向の幅の３倍以上に上下に幅広い枠材をその長さ方向が水平方向に沿うように壁面に上下対で取付け、上下の枠材表面に支持レール材をそれぞれ取付けることによって、前記上下の支持レール材を壁面に固定したことが好適である。枠材は加工や取付けの容易さから木製であることが好ましい。
【０００９】
また、本考案においては、前記上下の支持レール材は、互いに対向側に開口する支持開口部と共に壁面の垂直方向外側に開口する水平開口部を形成し、この水平開口部に棚板を差し込み固定できるようにしたことが好適である。
【００１０】
本考案においては、支持レール材の支持開口部は、該支持レール材の横断面視でＣ字形状を呈し、
その支持開口部の内部幅よりも狭くかつ開口端より幅広い係合部を形成した第１のスライドレール部材を設けており、
前記支持開口部内に係合部を装着して第１のスライドレール部材を上下の支持レール材にスライド可能に係合し、
前記支持板材を第１のスライドレール部材に固定することによって、支持板材の上端部および下端部を水平移動可動に上下のレール部材に係合して前記支持板材を壁面に固定したことが好適である。
【００１１】
また、本考案においては、上下の支持レール材は、該支持レール材の横断面視で支持開口部が壁面の垂直方向外側に開口すると共に、該支持開口部の上下方向の幅の３倍以上に上下に幅広く形成されて、壁面に直接取付けるものであることが好適である。
【００１２】
本考案においては、上下の支持レール材は、支持開口部から壁面側に凹む凹所内に上下の突起が突出形成され、
前記支持レール材の他に、前記凹所の突起内側の幅よりも狭くかつ突起先端間の幅よりも広い幅の係合部の有る第２のスライドレール部材を設けており、
この第２のスライドレール部材は、前記支持開口部の突起内側に係合部を装着して前記支持レール材にスライド可能に係合し、
支持板材を第２のスライドレール部材に設置することによって、支持板材の上端部および下端部を水平移動可動に上下の支持レール材に係合して該支持板材を壁面にスライド可能に固定したことが好適である。
【００１３】
また、本考案においては、第２のスライドレール部材は、横断面視して底壁から両側壁が立ち上がる概略Ｕ字形状の断面形状であって、一側壁の外部に断面Ｃ字形状の凹所が形成され、他側壁は外部が平坦に形成されたものであることが好適である。
【００１４】
本考案においては、前記第２のスライドレール部材と同断面形状の取付けレール部材を、第２のスライドレール部材と上下を逆にしかつ互いの一側壁の断面Ｃ字形状の凹所同士を係合させ、
前記第２のスライドレールの他側壁を係合部として、前記支持開口部の突起内側に係合部を装着して第２のスライドレール部材を支持レール材にスライド可能に係合すると共に、取付けレール部材の他側壁の外部に支持板材を固定したことが好適である。
【００１５】
また、本考案においては、第２のスライドレール部材の一側壁を係合部として、前記支持開口部の突起内側に係合部を装着して第２のスライドレール部材を支持レール材にスライド可能に係合すると共に、前記第２のスライドレール部材と同断面形状の取付けレール部材を、その一側壁の断面Ｃ字形状の凹所が上下で対向するように、第２のスライドレール部材の他側壁部に取付けたことが好適である。
【００１６】
本考案においては、支持板材また第２のスライドレール部材にフックを固定できるようにしたことが好適である。
【考案の効果】
【００１７】
本考案の請求項１〜１０記載の壁面取付け装置によれば、物上下の支持レール材をその長さ方向が水平方向に沿うように上下対で壁面に取付け、前記支持板材を装着するための支持開口部が該支持レール材の横断面視で壁面の設置側以外の側に向いて開口して形成し、上下対で取付けた支持レール材の支持開口部によって支持板材の上端部および下端部を水平移動可動に係止して該支持板材を壁面に固定するので、該支持板材の位置を任意かつ容易に変更して該支持板材に額縁や物を取付けることができる。また、支持板材は支持レール材の支持開口部に差し込む等して容易に取付けたり、取り外したりできる。
【００１８】
なお、請求項２〜１０では、上記の効果に加えて、次の効果を奏する。
【００１９】
請求項２の考案においては、前記支持レール材の上下方向の幅の３倍以上に上下に幅広い枠材をその長さ方向が水平方向に沿うように壁面に上下対で取付け、上下の枠材表面に支持レール材をそれぞれ取付けることによって、前記上下の支持レール材を壁面に固定するので、壁面が下地材の強度の低いものであったり、固定用フックを取付けにくいものであったりしても、前記枠材によって強度を保って支持することができる。
【００２０】
また、請求項３の考案においては、前記上下の支持レール材は、互いに対向側に開口する支持開口部と共に壁面の垂直方向外側に開口する水平開口部を形成し、この水平開口部に差し込みできるようにしたので、支持板材で物を支持固定すると同時に棚板で他の物を載せて支持するなど使用に便利である。
【００２１】
また、請求項４の考案においては、支持レール材の支持開口部は、該支持レール材の横断面視でＣ字形状を呈し、その支持開口部の内部幅よりも狭くかつ開口端より幅広い係合部を形成した第１のスライドレール部材を設けており、前記支持開口部内に係合部を装着して第１のスライドレール部材を上下の支持レール材にスライド可能に係合し、前記支持板材を第１のスライドレール部材に固定することによって、支持板材の上端部および下端部を水平移動可動に上下のレール部材に係合して前記支持板材を壁面に固定したので、第１のスライドレール部材が支持レール材に容易にスライドでき、支持板材の水平移動が小さな力で容易にできる。
【００２２】
また、請求項５の考案によれば、上下の支持レール材は、該支持レール材の横断面視で支持開口部が壁面の垂直方向外側に開口すると共に、該支持開口部の上下方向の幅の３倍以上に上下に幅広く形成されて、壁面に直接取付けるものであるので、枠材が無くても強度を保って壁面に取付けることができ、重い物でも安定して取付けることができる。
【００２３】
また、請求項６の考案によれば、上下の支持レール材は、支持開口部から壁面側に凹む凹所内に上下の突起が突出形成され、前記支持レール材の他に、前記凹所の突起内側の幅よりも狭くかつ突起先端間の幅よりも広い幅の係合部の有る第２のスライドレール部材を設けており、この第２のスライドレール部材は、前記支持開口部の突起内側に係合部を装着して前記支持レール材にスライド可能に係合し、支持板材を第２のスライドレール部材に設置することによって、支持板材の上端部および下端部を水平移動可動に上下の支持レール材に係合して該支持板材を壁面にスライド可能に固定したので、支持レール材が比較的簡単な構成で強度を保って支持板材を支持できる。
【００２４】
また、請求項７の考案によれば、第２のスライドレール部材は、横断面視して底壁から両側壁が立ち上がる概略Ｕ字形状の断面形状であって、一側壁の外部に断面Ｃ字形状の凹所が形成され、他側壁は外部が平坦に形成されたものであるので、比較簡単な構成で、第２のスライドレール部材を構成できる。
【００２５】
また、請求項８の考案によれば、前記第２のスライドレール部材と同断面形状の取付けレール部材を、第２のスライドレール部材と上下を逆にしかつ互いの一側壁の断面Ｃ字形状の凹所同士を係合させ、前記第２のスライドレールの他側壁を係合部として、前記支持開口部の突起内側に係合部を装着して第２のスライドレール部材を支持レール材にスライド可能に係合すると共に、取付けレール部材の他側壁の外部に支持板材を固定したので、第２のスライドレール部材と取付けレール部材を簡単に強固に固定でき、支持部材の取付けの利便性が高くなる。
【００２６】
また、請求項９の考案によれば、第２のスライドレール部材の一側壁を係合部として、前記支持開口部の突起内側に係合部を装着して第２のスライドレール部材を支持レール材にスライド可能に係合すると共に、前記第２のスライドレール部材と同断面形状の取付けレール部材を、その一側壁の断面Ｃ字形状の凹所が上下で対向するように、第２のスライドレール部材の他側壁部に取付けたので、第２のスライドレール部材と取付けレール部材を簡単かつ強固に固定しつつ、取付けレール部材に容易に棚板を差し込み取付けることができ、利便性が高い。
【００２７】
また、請求項１０の考案によれば、支持板材また第２のスライドレール部材にフックを固定でき、簡単にフックを付けて物を吊下げるようにもできる等の優れた効果を奏し得る。
【考案を実施するための最良の形態】
【００２８】
以下、本考案の実施形態について、添付図面を参照して説明する。
【００２９】
図１〜図１０は本考案に係る各実施形態の説明図であって、図中、同一の符号を付した部分は同一物を表わす。
【００３０】
図１は第１の実施形態に係る壁面取付け装置の壁面に正対して見た説明図、図２（ａ）、（ｂ）は第１の実施形態に係る壁面取付け装置において、壁面に正対して見た場合の上下の支持レール材に対する各取付け構成例（第１例、第２例）の説明図、図３（ａ）、（ｂ）は図２のＡ−Ａ線断面視図であって、上下の支持レール材に対する第１例に係る取付け構成説明図、図４（ａ）、（ｂ）は図２のＢ−Ｂ線断面視図であって、上下の支持レール材に対する第２例に係る取付け構成説明図である。
【００３１】
図５（ａ）、（ｂ）は第２の実施形態に係る壁面取付け装置において、壁面に正対して見た場合の上下の支持レール材に対する各取付け構成例（第３例〜第４例）の説明図、図６（ａ）、（ｂ）は図５のＡ−Ａ線断面視図であって、上下の支持レール材に対する第３例に係る取付け構成説明図、図７（ａ）、（ｂ）は図５のＢ−Ｂ線断面視図であって、上下の支持レールに対する第４例に係る取付け構成説明図である。
【００３２】
図８は（ａ）、（ｂ）、上記第２の実施形態に係る壁面取付け装置において、壁面に正対して見た場合の上下の支持レール材に対する各取付け構成例（第５例〜第６例）の説明図、図９（ａ）、（ｂ）は図８のＡ−Ａ線断面視図であって、上下の支持レール材に対する第５例に係る取付け構成説明図、図１０（ａ）、（ｂ）は図８のＢ−Ｂ線断面視図であって、上下の支持レールに対する第６例に係る取付け構成説明図である。
【００３３】
図１、図２に示すように、第１の実施形態に係る壁面取付け装置は、建造物の壁面(実施形態では室内壁面を示すが、外壁面でもよい）１４に所望する物を取付けるものであって、物を支持する支持レール材１０Ｕ、１０Ｄを、その長さ方向が水平方向に沿うように上下対で壁面１４に取付けている。
【００３４】
図１〜図４に示すように、第１の実施形態に係る前記上下の支持レール材１０Ｕ、１０Ｄは、支持板材１６(有孔板１６Ａ、平面板１６Ｂ、ベース板１６Ｃ等の取付け用板材）を装着するための支持開口部２８が該支持レール材１０Ｕ、１０Ｄの横断面視で壁面１４の設置側以外の側であって下記するように壁面１４に平行して上下で対向する側また壁面１４の垂直外側に向いて開口して形成されたものである。上下対で取付けた支持レール材１０Ｕ、１０Ｄの支持開口部２８によって支持板材１６の上端部および下端部を水平移動可動に係止して該支持板材１６を壁面１４に固定する。
【００３５】
詳しくは、前記支持レール材１０Ｕ、１０Ｄの上下方向の幅の３倍以上に上下に幅広い木製の枠材１８をその長さ方向が水平方向に沿うように壁面１４に上下対で取付けている。上下の枠材表面に支持レール材１０Ｕ、１０Ｄをそれぞれ取付けることによって、前記上下の支持レール材１０Ｕ、１０Ｄを壁面１４に固定したものである。支持レール材や後述するスライドレール部材はアルミニウム、ステンレス等の金属材が好ましく、強度的に十分であれば硬質プラスチック材としてもよい。
【００３６】
図２では、左側に支持板材１６として多数の孔が形成された有孔板１６Ａおよび孔の無い平面板１６Ｂを示し、右側に全体に平坦で各種掲示物２２ａを張ったり外観を整える化粧板にも用いることができるベース板１６Ｃを示している。有孔板１６Ａは、図２〜図３に示すように、任意位置の孔にフック２０の基部を通してその基部をナット等で締め付け固定できるものである。また、平面板１６Ｂは、紙類等の掲示物２２ａを画鋲２２等によって固定できる構成になっている。ベース板１６Ｃは後述するスライドレール３４にネジ等で固定出来るようになっている。
【００３７】
枠材１８は、図４（ａ）に示すように、木製厚板材であって、壁面１４への取付けは枠材１８の裏面側を壁面１４に当てた状態で壁下地材１４ａの壁骨組にビス２４などで締付け固定したり、（ｂ）に示すように、ビス類とアンカー類２６で壁下地材１４ａに固定したりできる。また、枠材１８の表面側が支持レール材１０Ｕ、１０Ｄを取付け面でありビス等で固定するが、その取付け面には支持レール材１０Ｕ、１０Ｄの取付け基部の幅（図３（ｂ）のように支持レール材を複数取付けるときは前部の基部の幅）に対応して、同幅か若干（例えば０．５〜１．５ｍｍ程度）広くかつ浅い（例えば１．５〜５．０ｍｍ程度）の窪み１８ａが形成されていて、取付け後に支持レール材１０Ｕ、１０Ｄがその窪み１８ａによって枠材１８に対して上下に位置ずれしないようにしている。
【００３８】
また、図２、図３に示すように、第１例の取付け構成では、前記上下の支持レール材１０Ｕ、１０Ｄは、互いに対向側に横断面Ｃ字形状に開口する支持開口部２８と共に壁面１４の垂直方向外側に横断面Ｕ字形状に開口する水平開口部３０を形成し、この水平開口部３０に水平方向に展開する棚板３２を差し込み固定できるようにしたものである。なお、下の支持レール材１０Ｄの下側には、支持レールと同形状で上下逆向きの副支持レール材１０Ｄａが支持開口部２８を下向きにして並列に枠材１８に固定されている。この支持開口部２８に開口端より幅広基部を有するフック２０を取付けることができ、フック２０は支持開口部２８にスライド可能に係合している。任意位置にフック２０を取付けることができ、利便性が高い。また、水平開口部３０に棚板３２を差し込むこともできる。
【００３９】
したがって、上下対で取付けた支持レール材１０Ｕ、１０Ｄの支持開口部２８によって支持板材１６の上端部および下端部を水平移動可動に係止して該支持板材１６を壁面１４に固定するので、該支持板材１６の位置を任意かつ容易に変更して該支持板材１６に額縁や物を取付けることができる。また、支持板材１６は支持レール材１０Ｕ、１０Ｄの支持開口部２８に差し込む等して容易に取付けたり、取り外したりできる。
【００４０】
第２例の取付け構成を説明する。
【００４１】
図４に示すように、前記支持レール材１０Ｕ、１０Ｄの支持開口部２８は、該支持レール材１０Ｕ、１０Ｄの横断面視でＣ字形状を呈している。
【００４２】
また、その支持開口部２８の内部幅よりも狭くかつ開口端より幅広い係合部３４ａを形成した第１のスライドレール部材３４を設けており、前記支持開口部２８内に係合部３４ａを装着して上下それぞれで第１のスライドレール部材３４が上下の支持レール材１０Ｕ、１０Ｄにスライド可能に係合している。
【００４３】
前記支持板材１６のベース板１６Ｃを上下の第１のスライドレール部材３４に固定することによって、支持板材１６のベース板１６Ｃの上端部および下端部を水平移動可動に上下の支持レール材１０Ｕ、１０Ｄに係合して前記ベース板１６Ｃを壁面１４に固定したものである。
【００４４】
具体的には、図２、図４に示すように、この第２例のベース板１６Ｃは上端部が直角に曲がっており、曲がった先が水平方向で壁面１４側を向きその先を上の支持レール材１０Ｕの水平開口部３０に差し込み固定する。それと共に、曲がる前の垂直方向向き部分に第１のスライドレール部材３４をビスによってベース板１６Ｃを締着固定している。また、下の支持レール材１０Ｄでは、第１のスライドレール部材３４が係合し、ビスによってベース板１６Ｃを締着固定している。
【００４５】
なお、下の支持レール材１０Ｄの下側には、該支持レール材１０Ｄと同形状で上下逆向きの副支持レール材１０Ｄａが支持開口部２８を下向きにして並列に枠材に１８に固定されている。この支持開口部２８に上記第１のスライドレール部材３４を更に係合して開口端より幅広基部を有するフック２０を取付けることができ、フック２０は支持開口部２８にスライド可能に係合している。任意位置にフック２０を取付けることができ、利便性が高い。また、水平開口部３０に棚板３２を差し込むこともできる。
【００４６】
次に、第２の実施形態に係る壁面取付け装置を、図５〜図１０に基づき説明する。図１〜図４と同様部分同一符号を付している。
【００４７】
第３例に係る取付け構成で図６（ａ）は図５の（ａ）左側、図６（ｂ）は図５（ｂ）左側に相当し、第４例に係る取付け構成で図７（ａ）は図５の（ａ）右側、図７（ｂ）は図５（ｂ）左側に相当している。図５〜図７に示すように、物を支持する支持レール材４０Ｕ、４０Ｄを、その長さ方向が水平方向に沿うように上下対で壁面１４に取付けている。
【００４８】
上下の支持レール材４０Ｕ、４０Ｄは、該支持レール材４０Ｕ、４０Ｄの横断面視で支持開口部４２が壁面１４の垂直方向外側に開口すると共に、該支持開口部４２の上下方向の幅の３倍以上に上下に幅広く形成されて、壁面１４に直接取付けるものである。第２の実施形態では、第１の実施形態における枠材を設けずに支持レール材４０Ｕ、４０Ｄで直接壁面１４に固定しており、簡単な構成で剛性が高くなる。
【００４９】
上下の支持レール材４０Ｕ、４０Ｄは、支持開口部４２から壁面１４側に凹む凹所４２ａ内に上下の突起４４が対向して突出形成され、前記支持レール材４０Ｕ、４０Ｄの他に、前記凹所４２ａの突起４４内側の幅Ｗ１よりも狭くかつ突起先端間の幅Ｗ２よりも広い幅Ｗ３（Ｗ１＞Ｗ３＞Ｗ２）の係合部の有る第２のスライドレール部材４６を設けており、この第２のスライドレール部材４６は、前記支持開口部４２の突起４４内側に係合部を装着して前記支持レール材４０Ｕ、４０Ｄにスライド可能に係合し、
支持板材１６を第２のスライドレール部材４６に設置することによって、支持板材１６の上端部および下端部を水平移動可動に上下の支持レール材４０Ｕ、４０Ｄに係合して該支持板材１６を壁面１４にスライド可能に固定したものである。
【００５０】
図６、図７に示すように、第３例、第４例に係る取付け構成では、第２のスライドレール部材４６は、横断面視して底壁から両側壁が立ち上がる概略Ｕ字形状の断面形状であって、一側壁の外部に断面Ｃ字形状の凹所４６ａが形成され、他側壁４６ｂは外部が平坦に形成されたものである。具体的には、第３例に係り取る付け構成、第４例に係る取付け構成の第２のスライドレール部材４６は、第１の実施形態の第１のスライドレール部材と同様構成である。
【００５１】
そして、第３例に係る取付け構成、第４例に係る取付け構成では、図６、図７に示すように、前記第２のスライドレール部材４６と同断面形状の取付けレール部材４８（凹所４８ａ、他側壁４８ｂ）を、第２のスライドレール部材４６と上下を逆にしかつ互いの一側壁の断面Ｃ字形状の凹所４６ａ、４８ａ同士を係合させ、前記第２のスライドレール部材４６の他側壁４６ｂを係合部として、前記支持開口部４２の突起４４内側に係合部を装着して第２のスライドレール部材４６を支持レール材４０Ｕ、４０Ｄにスライド可能に係合している。それと共に、第３例に係る取付け構成では、図６に示すように、取付けレール部材４８の一側壁および他側壁間の開口部に支持板材１６（１６Ａ、１６Ｂ）を差し込み固定した。また、第４例に係る取付け構成では、図７に示すように、他側壁４８ｂの外部に支持板材１６（１６Ｃ）をネジ止め固定したものである。
【００５２】
第５例に係る取付け構成で図９（ａ）は図８の（ａ）左側、図９（ｂ）は図８（ｂ）左側に相当し、第６例に係る取付け構成で図１０（ａ）は図８の（ａ）右側、図１０（ｂ）は図８（ｂ）右側に相当している。
【００５３】
第５例に係る取り付け構成では、図８、図９に示すように、第２のスライドレール部材４６の凹所４６ａのある一側壁を係合部として、前記支持開口部４２の突起４４内側に係合部を装着して第２のスライドレール部材４６を支持レール材４０Ｕ、４０Ｄにスライド可能に係合すると共に、前記第２のスライドレール部材４６と同断面形状の取付けレール部材５０によって支持板材１６を取付ける。
【００５４】
具体的には、図９（ａ）、（ｂ）に示すように、前記第２のスライドレール部材４６の凹所４６ａ側の壁を支持レール材４０Ｕ、４０Ｄの突起４４の奥側に係合させて係止し、その他側壁４６ｂに同断面形状の取付けレール部材５０の底部をボルト止めする。この場合、上下の取付けレール部材５０の一側壁の断面Ｃ字形状の凹所５０ａが上下で対向するように、取付けレール部材５０は、第２のスライドレール部材４６の他側壁部４６ｂに直接取付けることができる。この場合、取付けレール部材５０の側方を向く開口に棚板３２を差し込んで上側から断面Ｌ字の取付け部材５１で固定することができる。
【００５５】
また、図９（ｂ）のように、断面Ｌ字の取付けレール部材５２を介して棚板３２を取付けその棚板３２に取付けレール部材５０の他側壁５０ｂをボルト止めして該レール部材５０を取付けることもできる。なお、取付けレール部材５２の下面に下向きに取付けレール部材５０と同じレール部材５８を取付け、その開口５８ａにフック２０を取付けるなど種々の取付けバリエーションを考えることができる。
【００５６】
また、図１０に示す第６例の取付け構成のように、第５例に係る第２のスライドレール部材４６に変えて、図１０（ａ）に示す断面Ｕ字形状の取付けレール部材５４の一側壁５４ａ、または図１０（ｂ）に示す、断面Ｌ字形状のレール部材５６の一側壁５６ａを係合部として、前記支持開口部４２の突起４４内側にその係合部を装着して取付けレール部材５４、５６を支持レール材４０Ｕ、４０Ｄにスライド可能に係合する。それと共に、図９に示した前記第２のスライドレール部材４６と同断面形状の取付けレール部材５０を取付けレール部材５４、レール部材５６にボルトで固定する。この場合、上下の取付けレール部材５０の一側壁の断面Ｃ字形状の凹所５０ａが上下で対向するように、取付けレール部材５０を固定し、これら取付けレール部材５０の対向する凹所５０ａを差し込み固定することによって支持板材１６を取付ける。その他は、図９の取付け構成と同様である。
【００５７】
なお、取付けの際の差し込みの容易さは、側面からは全例でよく、また、前面からは上記した第３例〜第４例、第６例が容易である。
【００５８】
また、簡易性は上記した第６例が最も高く、２番手が第３，４例で、３番手が第５、１，２例である。
【００５９】
また、強度性は、上記した第６例が最も高く、２番手が第５例、３番手が第１，２，３，４例である。
【００６０】
また、レール長さの対応性は上記した第５例が最も高く、２番手が第６例、３番手がその他の第１、２、３、４例である。
【００６１】
尚、本考案の壁面取付け装置は、上記した実施の形態に限定されるものではなく、本考案の要旨を逸脱しない範囲内において種々変更を加え得ることは勿論である。
【図面の簡単な説明】
【００６２】
【図１】本考案の第１の実施形態に係る壁面取付け装置の壁面に正対して見た説明図である。
【図２】（ａ）、（ｂ）は第１の実施形態に係る壁面取付け装置において、壁面に正対して見た場合の上下の支持レール材に対する各取付け構成例（第１例、第２例）の説明図である。
【図３】（ａ）、（ｂ）は図２のＡ−Ａ線断面視図であって、上下の支持レール材に対する第１例に係る取付け構成説明図である。
【図４】（ａ）、（ｂ）は図２のＢ−Ｂ線断面視図であって、上下の支持レール材に対する第２例に係る取付け構成説明図である。
【図５】（ａ）、（ｂ）は第２の実施形態に係る壁面取付け装置において、壁面に正対して見た場合の上下の支持レール材に対する各取付け構成例（第３例〜第４例）の説明図である。
【図６】（ａ）、（ｂ）は図５のＡ−Ａ線断面視図であって、上下の支持レール材に対する第３例に係る取付け構成説明図である。
【図７】（ａ）、（ｂ）は図５のＢ−Ｂ線断面視図であって、上下の支持レールに対する第４例に係る取付け構成説明図である。
【図８】（ａ）、（ｂ）は第２の実施形態に係る壁面取付け装置において、壁面に正対して見た場合の上下の支持レール材に対する各取付け構成例（第５例〜第６例）の説明図である。
【図９】（ａ）、（ｂ）は図５のＡ−Ａ線断面視図であって、上下の支持レール材に対する第５例に係る取付け構成説明図である。
【図１０】（ａ）、（ｂ）は図５のＢ−Ｂ線断面視図であって、上下の支持レールに対する第６例に係る取付け構成説明図である。
【符号の説明】
【００６３】
１０Ｕ、１０Ｄ  上下の支持レール材
１０Ｄａ  副支持レール材
１４  壁面
１４ａ  壁下地材
１６  支持板材
１６Ａ  有孔板
１６Ｂ  平面板
１６Ｃ  ベース板
１８  枠材
２０  フック
２２  画鋲
２２ａ  掲示物
２４  ビス
２６  アンカー類
２８  支持開口部
３０  水平開口部
３２  棚板
３４  スライドレール部材
３４ａ  係合部
４０Ｕ、４０Ｄ  上下の支持レール材
４２  支持開口部
４２ａ  凹所
４４  突起
４６  スライドレール部材
４６ａ  係合部
４６ａ  凹所
４６ｂ  他側壁
４８  レール部材
４８ａ  凹所
４８ｂ  他側壁
５０  レール部材
５０ａ  凹所
５０ｂ  他側壁
５２  取付けレール部材
５４  取付けレール部材
５４ａ  一側壁
５６  レール部材
【図１】
0003149109.tif 000003
【図２】
0003149109.tif 000004
【図３】
0003149109.tif 000005
【図４】
0003149109.tif 000006
【図５】
0003149109.tif 000007
【図６】
0003149109.tif 000008
【図７】
0003149109.tif 000009
【図８】
0003149109.tif 000010
【図９】
0003149109.tif 000011
【図１０】
0003149109.tif 000012